(57)【要約】【課題】第１信号装置部と第２信号装置部の組合せパターンの拡大、誤洗浄の防止、擬似洗浄音の作動開始方法の自動化及び手動化の両立を実現すること。【解決手段】大便器の使用者を検知する人体検知手段及びその使用者の洗浄操作の電気的信号に基づきバルブ駆動部を駆動する制御回路と、バルブ駆動部に基づき作動して水を吐水するバルブとを備える大便器洗浄装置において、少なくとも前記バルブ駆動用の制御回路と、洗浄操作の電気的信号を第１信号装置部に送信する第２信号装置部の洗浄方式が接触式または非接触式のどちらであっても対応可能な制御回路とを搭載する第１信号装置部であって、かつその第２信号装置部の洗浄方式を器具設置者および保守者が切替え可能とした第１信号装置部を備えた構成とした。【選択図】　図１
2004036083.tif 000002
【特許請求の範囲】
【請求項１】
大便器の使用者を検知する人体検知手段及びその使用者の洗浄操作の電気的信号に基づきバルブ駆動部を駆動する制御回路と、バルブ駆動部に基づき作動して水を吐水するバルブとを備える大便器洗浄装置において、少なくとも前記バルブ駆動用の制御回路と、洗浄操作の電気的信号を第１信号装置部に送信する第２信号装置部の洗浄方式が接触式または非接触式のどちらであっても対応可能な制御回路とを搭載する第１信号装置部であって、かつその第２信号装置部の洗浄方式を器具設置者および保守者が切替え可能とした第１信号装置部を備えたことを特徴とする大便器洗浄装置。
【請求項２】
前記第１信号装置部に入力された使用者の洗浄操作の電気的信号をバルブ駆動部への開駆動信号として送信または非送信とすることが可能な制御回路を搭載し、かつそのバルブ駆動部の作動の有無を器具設置者および保守者が切替え可能とした第１信号装置部を備えたことを特徴とする請求項１記載の大便器洗浄装置。
【請求項３】
前記第１信号装置部に擬似洗浄音を発生する音源とその制御回路を付加し、かつ第１信号装置部の人体検知手段の検知信号、乃至使用者の手動操作に基づき擬似洗浄音を発生する第１信号装置部を備えたことを特徴とする請求項１及び請求項２記載の大便器洗浄装置。
【請求項４】
前記第１信号装置部の人体検知手段の検知信号、乃至使用者の手動操作に基づき擬似洗浄音を発生する２種類の方法を、器具設置者および保守者が切替え可能とした第１信号装置部を備えたことを特徴とする請求項１、請求項２及び請求項３記載の大便器洗浄装置。
【発明の詳細な説明】
【０００１】
【発明の属する技術分野】
本発明は自動給水洗浄装置及び人体感知または手感知により洗浄を行う大便器洗浄装置に係り、特に好適な大便器用自動フラッシュバルブ等に関する。
【０００２】
【従来の技術】
従来、大便器用の自動給水洗浄装置において、大便器の使用者を検知する人体検知手段及びその使用者の洗浄操作の電気的信号に基づきバルブ駆動部を駆動する制御回路と、バルブ駆動部に基づき作動して水を吐水するバルブとを備える形態であって、これに介助者等が洗浄操作するための補助洗浄装置の役割を担う第２信号装置部を付加する大便器洗浄装置の設置形態は存在していた。
【０００３】
しかしながら第１信号装置部及び第２信号装置部は、通常大便器ブースの側面に取付けられることが多く、この第２信号装置が非接触センサー式のときには使用者のちょっとした動作で誤作動するのを防止するために、感知が確定するまでにある程度の遅延時間を第１信号装置部に設けていた。
【０００４】
その一方で、第２信号装置が接触押ボタン式のときには前記した誤作動の問題がないため遅延時間を設ける必要はない。
【０００５】
従来は、この遅延時間の処理回路の有無によって第２信号装置部の接続先である第１信号装置部の制御回路が一意的に決まっていたため、第２信号装置部は接触式または非接触式のどちらか一方に限定されていた。
【０００６】
また、第１信号装置部に使用者の洗浄操作の電気的信号が入力されると、必ずバルブ駆動部へ開駆動信号を送信する方式になっていた。
【０００７】
さらに、擬似洗浄音発生装置をトイレ空間内に設置したものにおいては、使用者の手動操作に基づき擬似洗浄音を発生する方式を採っていた。
【０００８】
【発明が解決しようとする課題】
この従来の構成では、第２信号装置部の洗浄方式が接触式または非接触式のどちらであるかによって、接続先である第１信号装置部の制御方式が決まってしまうため、例えば最初に非接触式の第２信号装置部を設置し、その後何らかの理由で接触式の第２信号装置部に取替えたい場合には、同時に接触式の第２信号装置部に対応可能な第１信号装置部に取替えなければならず、器具購入者の金銭的負担が大きくなってしまうという問題があった。
【０００９】
また、従来は第１信号装置部に入力された使用者の洗浄操作の電気的信号を、常にバルブ駆動部への開駆動信号として送信する制御方式のみしかないため、例えば介助者が身体障害者の排泄の補助を行なうときの動作によって、不意に第１信号装置部に洗浄操作の電気的信号が入力されてしまい、使用者の意思に反してバルブ駆動部が作動してしまうという問題があった。
【００１０】
さらに、従来の擬似洗浄音発生装置においては、使用者が手動操作をしないかぎりは擬似洗浄音を発生しない方式であったため、特にパブリックの大便器ブースでは衛生面が懸念されていた。
【００１１】
一方で、やはり自分の意志で擬似洗浄音を発生させたいというニーズもあるため、第１信号装置部の人体検知手段の検知信号、乃至使用者の手動操作に基づき擬似洗浄音を発生する２種類の方法を両立させなければならないという課題があった。
【００１２】
本発明は上記課題を解決するためになされたもので、本発明の目的は、第１信号装置部と第２信号装置部の組合せパターンの拡大、誤洗浄の防止、擬似洗浄音の作動開始方法の自動化及び手動化の両立を実現することにある。
【００１３】
【課題を解決するための手段】
上記目的を達成するために請求項１は、大便器の使用者を検知する人体検知手段及びその使用者の洗浄操作の電気的信号に基づきバルブ駆動部を駆動する制御回路と、バルブ駆動部に基づき作動して水を吐水するバルブとを備える大便器洗浄装置において、少なくとも前記バルブ駆動用の制御回路と、洗浄操作の電気的信号を第１信号装置部に送信する第２信号装置部の洗浄方式が接触式または非接触式のどちらであっても対応可能な制御回路とを搭載する第１信号装置部であって、かつその第２信号装置部の洗浄方式を器具設置者および保守者が切替え可能とした第１信号装置部を備えたことを特徴とする大便器洗浄装置としたことである。
【００１４】
第２信号装置部の洗浄方式が接触式または非接触式のどちらであっても対応可能な制御回路を第１信号装置部に搭載することで、器具購入者に金銭的な負担をかけずに第１信号装置部と第２信号装置部の組合せパターンの拡大することが可能となる。
【００１５】
請求項２は、第１信号装置部に入力された使用者の洗浄操作の電気的信号をバルブ駆動部への開駆動信号として送信または非送信とすることが可能な制御回路を搭載し、かつそのバルブ駆動部の作動の有無を器具設置者および保守者が切替え可能とした第１信号装置部を備えたことを特徴とする大便器洗浄装置としたことである。
【００１６】
本発明によれば、第１信号装置部に入力された使用者の洗浄操作の電気的信号をバルブ駆動部への開駆動信号として送信または非送信とすることが可能な制御回路を搭載し、かつそのバルブ駆動部の作動の有無を器具設置者および保守者が切替え可能とすることで、介助者が身体障害者の排泄の補助を行なうときの動作によって、不意に第１信号装置部に洗浄操作の電気的信号が入力されてしまい、使用者の意思に反してバルブ駆動部が作動してしまうという問題も解消される。
【００１７】
請求項３は、第１信号装置部に擬似洗浄音を発生する音源とその制御回路を付加し、かつ第１信号装置部の人体検知手段の検知信号、乃至使用者の手動操作に基づき擬似洗浄音を発生する第１信号装置部を備えたことを特徴とする大便器洗浄装置とすることである。
【００１８】
本発明によれば、第１信号装置部に擬似洗浄音を発生する音源とその制御回路を付加し、かつ第１信号装置部の人体検知手段の検知信号、乃至使用者の手動操作に基づき擬似洗浄音を発生する第１信号装置部を備えることで、従来の擬似洗浄音発生装置において、使用者が手動操作をしないかぎりは擬似洗浄音を発生しないことに起因するパブリックの大便器ブースでの衛生面の懸念もなくなる。
【００１９】
請求項４は、第１信号装置部の人体検知手段の検知信号、乃至使用者の手動操作に基づき擬似洗浄音を発生する２種類の方法を、器具設置者および保守者が切替え可能とした第１信号装置部を備えることで、自動的な擬似洗浄音の発生と自分の意志で擬似洗浄音を発生させたいというニーズとを両立させることが可能となる。
【００２０】
【発明の実施の態様】
以上説明した本発明の構成・作用を明らかにするために、以下本発明の好適な実施例について説明する。
【００２１】
図１は請求項１の実施例を示す構成図及びその外観図、図２は本願発明の大便器洗浄装置の設置外観図であり、少なくとも大便器の使用者を検知する人体検知手段１及びその使用者の洗浄操作を検知する手感知手段２の電気的信号に基づきバルブ駆動部３を駆動する制御回路４を有する第１信号装置部５と、バルブ駆動部３に基づき作動して水を吐水するバルブ６との組み合わせが大便器洗浄装置の基本構成である。
【００２２】
この構成の付加機能として、使用者及び介助者の洗浄操作を検知する感知手段８の電気的信号を第１信号装置部５に送信する第２信号装置部７を加える。
【００２３】
この第２信号装置部７の洗浄方式が押ボタン式またはセンサー式のどちらであっても対応可能な制御回路９を第１信号装置部５に搭載する。図１中、矢印は洗浄信号の経路を示すものである。
【００２４】
そして、図３のように第２信号装置部の洗浄方式は、器具設置者および保守者が第１信号装置部５のスイッチ１０を切替えることで、制御回路９の制御プログラムが切替わり、図１中の第１信号装置５に接続可能な第２信号装置６が押ボタン式またはセンサー式に切替わる。無論、図１の制御回路４と制御回路９を統合した制御回路を構成しても何ら問題はない。
【００２５】
図４及び図５は、それぞれ押ボタン式の第２信号装置１１及びセンサー式の第２信号装置１２の外観例である。
【００２６】
図６は請求項２の実施例であり、図中点線矢印は洗浄信号がバルブ駆動部２へ送信されない様子を表す。器具設置者および保守者が図３中の第１信号装置部５のスイッチ１３を切替えれば、制御回路４の制御プログラムが切替わり、バルブ駆動部２への開駆動信号を送信または非送信にすることが可能となる。
【００２７】
図７は請求項３の実施例であり、第１信号装置部５の人体検知手段１が使用者を検知すると、その検知信号に基づき擬音発生回路１４が作動し、擬音が発生する。
【００２８】
また、第１信号装置部５には使用者の手動操作に基づき擬似洗浄音を発生する押ボタン１５も兼備しており、器具設置者および保守者が図３中の第１信号装置部５のスイッチ１６を切替えると、第１信号装置５内の擬音発生回路１４の制御プログラムが切替わり、人体検知手段１の検知信号または使用者の押ボタン１５の操作に基づき擬似洗浄音を発生する方法のどちらかになる。
【００２９】
【発明の効果】
本発明は上記構成により次の効果を発揮する。
大便器の使用者を検知する人体検知手段及びその使用者の洗浄操作の電気的信号に基づきバルブ駆動部を駆動する制御回路と、バルブ駆動部に基づき作動して水を吐水するバルブとを備える大便器洗浄装置において、少なくとも前記バルブ駆動用の制御回路と、洗浄操作の電気的信号を第１信号装置部に送信する第２信号装置部の洗浄方式が接触式または非接触式のどちらであっても対応可能な制御回路とを搭載する第１信号装置部であって、かつその第２信号装置部の洗浄方式を器具設置者および保守者が切替え可能とした第１信号装置部を備える便器洗浄装置とすることで、器具購入者に金銭的な負担をかけずに第１信号装置部と第２信号装置部の組合せパターンの拡大することが可能となる。
【００３０】
また、前記第１信号装置部に入力された使用者の洗浄操作の電気的信号をバルブ駆動部への開駆動信号として送信または非送信とすることが可能な制御回路を搭載し、かつそのバルブ駆動部の作動の有無を器具設置者および保守者が切替え可能とした第１信号装置部を備える便器洗浄装置とすることで、介助者が身体障害者の排泄の補助を行なうときの動作によって、不意に第１信号装置部に洗浄操作の電気的信号が入力されてしまい、使用者の意思に反してバルブ駆動部が作動してしまうという問題が解消される。
【００３１】
さらに、前記第１信号装置部に擬似洗浄音を発生する音源とその制御回路を付加し、かつ第１信号装置部の人体検知手段の検知信号、乃至使用者の手動操作に基づき擬似洗浄音を発生する第１信号装置部を備える便器洗浄装置とすることで、使用者が手動操作をしないかぎりは擬似洗浄音を発生しない方式であることに起因するパブリックの大便器ブースでの衛生面の懸念がなくなる。
【００３２】
一方で、前記第１信号装置部の人体検知手段の検知信号、乃至使用者の手動操作に基づき擬似洗浄音を発生する２種類の方法を、器具設置者および保守者が切替え可能とした第１信号装置部を備える大便器洗浄装置とすることで、自動的な擬似洗浄音の発生と自分の意志で擬似洗浄音を発生させたいというニーズとを両立させることが可能となる。
【００３３】
以上より、第１信号装置部と第２信号装置部の組合せパターンの拡大、誤洗浄の防止、擬似洗浄音の作動開始方法の自動化及び手動化の両立を実現することが可能となる。
【図面の簡単な説明】
【図１】大便器洗浄装置の構成概要（ブロック図）及び外観図である。
【図２】本願発明の大便器洗浄装置の設置外観図である。
【図３】第１信号装置部の切替え操作部の外観図である。
【図４】接触式の第２信号装置部の外観図である。
【図５】非接触式の第２信号装置部の外観図である。
【図６】手感知手段の検知信号があってもバルブ駆動部に洗浄信号を送信しない場合を示す概要図である。
【図７】第１信号装置部に擬音発生回路を付加したときの構成概要図である。
【符号の説明】
１…人体検知手段
２…手感知手段
３…バルブ駆動部
４…制御回路
５…第１信号装置部
６…バルブ
７…第２信号装置部
８…感知手段
９…第２信号装置部用の制御回路
１０…スイッチ（洗浄方式切替え用）
１１…第２信号装置部（押ボタン式）
１２…第２信号装置部（センサー式）
１３…スイッチ（手感知手段ＯＮ／ＯＦＦ切替え用）
１４…擬音発生回路
１５…押ボタン
１６…スイッチ（擬音自動／手動切替え用）
【図１】
2004036083.tif 000003
【図２】
2004036083.tif 000004
【図３】
2004036083.tif 000005
【図４】
2004036083.tif 000006
【図５】
2004036083.tif 000007
【図６】
2004036083.tif 000008
【図７】
2004036083.tif 000009